(57)【要約】【課題】従来の鉛直方向回転型ゴルフ練習機ではスライス気味あるいはフック気味のスウィングをした場合であっても回転始動時の偏心量が小さいためスクウェア・フェース角度でのスウィングしているかどうか見極めることが困難であった。これは打撃部が球状であるため、打撃点を通る飛球線方向に平行な力の作用線と打撃部の中心との距離が大きくとれないため偏心量を顕著に出来なかったことにある。【解決手段】鉛直方向回転型ゴルフ練習機の打撃部を複数の円盤状の物とそれらの間隔を調節可能な物で構成した。これにより、打撃点を通る飛球線方向に平行な力の作用線と打撃部の中心との距離が大きくとれることとなり偏心量を顕著にでき、これらを検証することによってスクウェア・スウィングの練習効果を向上させることができる。【選択図】図１
2011098178.tif 000002
【特許請求の範囲】
【請求項１】
鉛直方向回転型ゴルフ練習機の回転する打撃部を複数の円盤状の物とそれらの間隔を調節可能な物で構成したゴルフ練習機。
【請求項２】
打撃部を円筒形の物にして、長さの異なる円筒形の物を着脱可能にした請求項１のゴルフ練習機。
【発明の詳細な説明】
【技術分野】
【０００１】  本発明は、ゴルフ練習機に関するものである。
【背景技術】
【０００２】  従来の鉛直方向回転型ゴルフ練習機において、打撃部（クラブ・フェースと当たってインパクト後回転する先端部）が球状の物はあったが球状以外のものは無かった。【０００３】  この球状打撃部の場合、スライス・フック・スウィング（明らかにスライスあるいはフックとなるようなフェース角度でのスウィング）でこの打撃部を打った際には明確な偏心回転を示しスクウェア・スウィング（スクウェア・フェース角度でのスウィング）でないことは判断できる。【０００４】  しかし、極小スライス・フック・スウィング（スクウェア・フェース角度からの小さな角度のずれによって生ずるスライス気味あるいはフック気味のフェース角度でのスウィング）をした場合であっても回転始動時（打撃部の回転が始まる時）の偏心量が小さいためスクウェア・スウィングであったかのような鉛直方向回転を示していた。【０００５】  それは打撃部が球状であるため、打撃中心間距離（打撃部の打撃点を通るスクェア・スウィングで得られる打球の飛球線方向に平行な力の作用線と打撃部の中心との距離）が大きくとれないことにある。【０００６】  その要因により回転始動時の偏心量が小さくスクウェア・スウィングであったかのような鉛直回転つまり極小偏心回転（偏心量の極めて小さな回転）をするためであった。【０００７】  従来の鉛直方向回転型ゴルフ練習機ではこの極小偏心回転を見極めるのは非常に困難であったため、実際のコースにおいてもスライスあるいはフックとなるような極小スライス・フック・スウィングをスクウェア・スウィングとして練習していたことになる。【０００８】  そのため従来の鉛直方向回転型ゴルフ練習機ではスクウェア・スウィングの練習効果は薄いものであった。
【発明の開示】
【発明が解決しようとする課題】
【０００９】  本発明は従来の鉛直方向回転型ゴルフ練習機の欠点を排除するため、スライス・フック・スウィングをした場合はもとより極小スライス・フック・スウィングをした場合の極小偏心回転状態を生じさせる偏心量を顕著にさせ明確な偏心回転状態にすることによって、従来見極めることが困難であった極小スライス・フック・スウィングをも容易に見極めることを可能とし、スクウェア・スウィングの練習効果を向上させることである。
【課題を解決するための手段】
【００１０】  本発明は上記課題を解決するために鉛直方向回転型ゴルフ練習機の打撃部を複数の円盤状の物とそれらの間隔を調節可能な物で構成したゴルフ練習機である。【００１１】  第２の課題解決手段は、打撃部を円筒形の物にして、長さの異なる円筒形の物を着脱可能にしたものである。【００１２】  上記第１の課題解決手段による作用は次の通りである。
スクウェア・スウィングをした場合は、インパクト時に円盤状打撃部の両方の円盤にクラブ・フェースがほぼ同時に当たりスクェア・スウィングで得られる打球の飛球線方向に打撃部は鉛直回転をすることになる。しかし、これが極小スライス・フック・スウィングあるいはスライス・フック・スウィングをした場合は、インパクト時に円盤状打撃部の片方の円盤にクラブ・フェースが先に当たることによって球状のものより打撃中心間距離を大きくとることができ偏心回転状況を球状打撃部の場合より顕著にすることができる。
また、円盤の間隔を調節することにより打撃中心間距離が調節でき、それによって打撃部の回転状態を調節ができる。【００１３】  また、第２の課題解決手段による作用については、原理は第１の課題解決手段と同様であるが打撃中心間距離の調節方法を着脱式の長さの異なる円筒形の物にしたことによって可能としたものである。
【発明の効果】
【００１４】  上述したように本発明はスライス・フック・スウィングをした場合はもとより極小スライス・フック・スウィングをした場合でも打撃部の偏心回転状況を顕著に示すことが可能となり、これらを検証することによってスクウェア・スウィングの練習効果を向上させることができる。
【発明を実施するための最良の形態】
【００１５】  以下、本発明の実施の形態を各図に基づいて説明する。
【実施例１】
【００１６】  図１において、支持台９に固定された回転軸支持部８に高低調節部７を設けた回転軸６が固定されており、その回転軸６に鉛直方向回転が可能な回転軸受部５が設けられ、その回転軸受部５に回転軸６を通る面に対し平行に回転可能なヒンジ部４が設けられ、そのヒンジ部４に回転腕部３が留められ、さらに回転体（円盤状打撃部１〜回転軸受部５）の回転先端部（円盤状打撃部１と円盤間隔調節部２）が接続されたものである。【００１７】  以下、上記の動作を説明する。
図２において、回転体のインパクト直後の回転状態を示している。
図７のようにスライス・フェースの場合、そのインパクト時に図面下側の円盤状打撃部１に上側のそれより先にクラブ・フェースが当たることによりヒンジ部４が設けられているため偏心でき、また回転軸受部５も設けられているため回転体の打球軌道は図８の状態で回転する。逆に図９のようにフック・フェースの場合は図面上側の円盤状打撃部１に下側のそれより先にクラブ・フェースが当たることになり回転体の打球軌道は図１０の状態で回転する。【００１８】  また、左右の円盤状打撃部１の間隔を円盤間隔調節部２によって小さくすると打撃中心間距離が小さくなるため回転始動時の偏心量も小さくなり、偏心回転として現れ難くなる。【００１９】  逆にその間隔を大きくすると打撃中心間距離が大きくなるため回転始動時の偏心量がより顕著となって偏心回転となって現れやすくなる。従ってその間隔を大きくするとスライス・フック・スウィングをした場合はもとより極小スライス・フック・スウィングをした場合のスウィングを明確に判断可能となる。
【実施例２】
【００２０】  図４において回転先端部を円筒形打撃部１０にしたもので、さらに長さの異なる円筒形打撃部１０と回転腕部３との着脱を容易にしたもの。
【図面の簡単な説明】
【００２１】
【図１】  本発明の斜視図である。
【図２】  本発明の正面図である。（インパクト直後の回転状態図）
【図３】  本発明の実施例１の回転体正面図である。
【図４】  本発明の実施例２の回転体正面図である。
【図５】  本発明のスクェア・スウィングでのインパクト時の平面図である。
【図６】  本発明のスクェア・スウィングでのインパクト時の回転状態立面図である。
【図７】  本発明の極小スライス・スウィングでのインパクト時の平面図である。
【図８】  本発明の極小スライス・スウィングでのインパクト時の回転状態立面図である。
【図９】  本発明の極小フック・スウィングでのインパクト時の平面図である。
【図１０】  本発明の極小フック・スウィングでのインパクト時の回転状態立面図である。
【符号の説明】
【００２２】  １  円盤状打撃部
２  円盤間隔調節部
３  回転腕部
４  ヒンジ部
５  回転軸受部
６  回転軸
７  高低調節部
８  回転軸支持部
９  支持台
１０  円筒形打撃部
１１  ゴルフクラブ
【図１】
2011098178.tif 000003
【図２】
2011098178.tif 000004
【図３】
2011098178.tif 000005
【図４】
2011098178.tif 000006
【図５】
2011098178.tif 000007
【図６】
2011098178.tif 000008
【図７】
2011098178.tif 000009
【図８】
2011098178.tif 000010
【図９】
2011098178.tif 000011
【図１０】
2011098178.tif 000012